(57)【要約】【課題】  ＨＤＤへのアクセス状態をユーザに認識させ、かつ、ＨＤＤへのアクセスに伴う好ましくない事態を防ぐ。【解決手段】  制御部１１は、ＨＤＤ１３へのアクセス中であることをユーザに通知する情報を、状態出力部１８、表示部１７、または音声出力部１９に出力させる。その後、制御部１１は、ＨＤＤへのアクセス中に、所定のイベントが発生した場合には該イベントを検知し、ＨＤＤ１３のアクセスを中断させたことをユーザに通知する情報を、状態出力部１８、表示部１８、音声出力部１９に出力させる。その後、制御部１１は、上記イベントが終了した場合には、ＨＤＤ１３へのアクセスを再開したことをユーザに通知する情報を状態出力部１８、表示部１７、または音声出力部１９に出力させる。【選択図】  図１
2006277322.tif 000002
【特許請求の範囲】
【請求項１】
ハードディスク装置と、
前記ハードディスク装置へのアクセス中に所定のイベントが発生した場合に、該イベントを検知するイベント検知部と、
前記ハードディスク装置へのアクセス中に、前記イベント検知部により前記イベントが検知されると、前記ハードディスク装置へのアクセス中状態を、他のアクセス状態に遷移させるアクセス状態遷移部と、
前記ハードディスク装置への他のアクセス状態を示すアクセス情報をユーザに通知する状態通知部と、を備える携帯端末。
【請求項２】
請求項１記載の携帯端末であって、
前記アクセス状態遷移部は、前記ハードディスク装置へのアクセス状態をアクセス中断状態に遷移し、
前記状態通知部は、前記ハードディスク装置へのアクセス中に、前記イベント検知部が前記イベントを検知しない場合には、前記ハードディスク装置へのアクセス中状態であることを示すアクセス情報をユーザに通知し、前記イベント検知部が該イベントを検知した場合には、前記ハードディスク装置へのアクセス中断状態であることを示すアクセス情報をユーザに通知する、携帯端末。
【請求項３】
請求項１または２記載の携帯端末であって、
前記状態通知部は、前記ハードディスク装置への複数のアクセス状態を示すアクセス情報を異なる色でユーザに通知する、携帯端末。
【請求項４】
請求項３記載の携帯端末であって、
前記状態通知部は、複数の色を発光する発光素子より構成される、携帯端末。
【請求項５】
請求項１または２記載の携帯端末であって、
前記状態通知部は、前記ハードディスク装置への複数のアクセス状態を示すアクセス情報を異なるアイコンを表示してユーザに通知する表示部より構成される、携帯端末。
【請求項６】
請求項１または２記載の携帯端末であって、
前記状態通知部は、前記ハードディスク装置の複数のアクセス状態を示すアクセス情報を異なる音声にてユーザに通知する音声出力部より構成される、携帯端末。
【請求項７】
請求項１ないし５のいずれか１項に記載の携帯端末であって、
前記イベントには、電源残存量の不足を示すイベントが含まれ、
前記イベント検知部により、電源残量の不足を示すイベントを検知した場合には、前記アクセス状態遷移部は、前記ハードディスク装置へのアクセスを中断する、携帯端末。
【請求項８】
請求項１ないし５のいずれか１項に記載の携帯端末であって、
前記イベントには、バイブレータの作動要求を示すイベントが含まれ、
前記イベント検知部により、バイブレータの作動要求を示すイベントを検知した場合には、前記アクセス状態遷移部は、前記ハードディスク装置へのアクセスを中断する、携帯端末。
【請求項９】
請求項１ないし８のいずれか１項に記載の携帯端末であって、
前記携帯端末は、他の機器と接続されデータのやり取りに使用される外部入出力部を更に備え、
前記ハードディスク装置へのアクセス中状態は、前記他の機器から前記ハードディスクへのアクセス中状態である、携帯端末。
【請求項１０】
ハードディスク装置を搭載する携帯端末の制御方法であって、
前記ハードディスク装置へのアクセス中に所定のイベントが発生した場合に、該イベントを検知するステップと、
前記ハードディスク装置へのアクセス中に前記イベントが検知されると、前記ハードディスク装置へのアクセス中状態を、他のアクセス状態に遷移させるステップと、
前記ハードディスク装置への他のアクセス状態を示すアクセス情報をユーザに通知するステップと、を備える携帯端末制御方法。
【請求項１１】
ハードディスク装置を搭載する携帯端末の制御プログラムであって、
前記ハードディスク装置へのアクセス中に所定のイベントが発生した場合に、該イベントを検知する手順と、
前記ハードディスク装置へのアクセス中に前記イベントが検知されると、前記ハードディスク装置へのアクセス中状態を、他のアクセス状態に遷移させる手順と、
前記ハードディスク装置への他のアクセス状態を示すアクセス情報をユーザに通知する手順と、をコンピュータに実行させるプログラム。
【発明の詳細な説明】
【技術分野】
【０００１】
本発明は、大容量の情報を記憶する小型のハードディスク装置が搭載された、携帯電話等の携帯端末及びその制御方法に関する。
【背景技術】
【０００２】
近年、携帯電話、ＰＨＳ等の携帯端末が広く一般的に使用されている。この携帯端末は、その使用形態において、単に電話のみの使用だけでなく、インターネットを介して音楽データ、動画データ等を取得したり、電子メールに添付して音楽データ、動画データ等を送受信したりするようになってきている。従って、携帯端末が必要とするメモリ容量も必然的に大容量にならざるを得ず、メモリ容量を確保するため、メモリステック等ＩＣカードが搭載可能な携帯端末が使用されている。
【０００３】
上述したＩＣカードを搭載した携帯端末においても、ユーザの使用形態により、例えば、インターネットを介して取得した音楽データ、動画データ等、音楽データ、動画データ等を添付する電子メールを多く記憶させておく場合には、メモリ容量が不足するようになり、使用上の不便をきたす虞がある。そこで、大容量の記憶を可能とする小型のハードディスク装置（以下、ＨＤＤという）を搭載した携帯端末の必要性が要求されている。
【特許文献１】実開平５−２２７２号公報
【発明の開示】
【発明が解決しようとする課題】
【０００４】
しかしながら、ＨＤＤ搭載した携帯端末では、ＨＤＤに大量のデータを読み込み、または書き込む場合には、ＨＤＤに長時間のアクセスが必要となるので、多量の電力を消費する。電池を電源として使用する携帯端末ではＨＤＤへのアクセス中に電池の残容量が不足するおそれがある。また、ＨＤＤへのアクセス中に他の携帯端末から受信を知らせるバイブレータ機能が作動した場合には、バイブレータの振動によりＨＤＤのヘッドがずれてしまいアクセスエラーを発生させるおそれがある。
【０００５】
本発明は、ＨＤＤの状態をユーザに認識させるとともに、上述のような問題を回避することが可能な携帯端末を提供する。
【０００６】
また、本発明は、電池の残容量が不足している際や、バイブレータの起動時に、ＨＤＤへのアクセス状態を制御することにより、ＨＤＤへのアクセスエラー等、不測の事態を防止し得る携帯端末及びその制御方法を提供する。
【課題を解決するための手段】
【０００７】
本発明の携帯端末は、ハードディスク装置と、前記ハードディスク装置へのアクセス中に所定のイベントが発生した場合に、該イベントを検知するイベント検知部と、前記ハードディスク装置へのアクセス中に、前記イベント検知部により前記イベントが検知されると、前記ハードディスク装置へのアクセス中状態を、他のアクセス状態に遷移させるアクセス状態遷移部と、前記ハードディスク装置への他のアクセス状態を示すアクセス情報をユーザに通知する状態通知部とを備える。
【０００８】
この構成によれば、ハードディスク装置へのアクセス中に所定のイベントが発生したとき、ハードディスク装置へのアクセス中状態を、より好ましい他の何らかの状態に遷移させることができる。また、アクセス状態がユーザに通知されるので、ユーザにとってハードディスク装置のアクセス状態を参照することができる。
【０００９】
前記アクセス状態遷移部は、前記ハードディスク装置へのアクセス状態をアクセス中断状態に遷移し、前記状態通知部は、前記ハードディスク装置へのアクセス中に、前記イベント検知部が前記イベントを検知しない場合には、前記ハードディスク装置へのアクセス中状態であることを示すアクセス情報をユーザに通知し、前記イベント検知部が該イベントを検知した場合には、前記ハードディスク装置へのアクセス中断状態であることを示すアクセス情報をユーザに通知するよう、携帯端末を構成することができる。
【００１０】
この構成によれば、ハードディスク装置がアクセス中に、所定のイベント、特にハードディスク装置のアクセスエラーを発生させる虞があるイベントが発生したとき、ハードディスク装置へのアクセスを中断することができる。また、この構成によれば、状態通知部によりハードディスク装置のアクセス中またはアクセス中断をユーザに通知するので、ユーザにとってハードディスク装置のアクセス状態を参照することができる。
【００１１】
前記状態通知部が、前記ハードディスク装置への複数のアクセス状態を示すアクセス情報を異なる色でユーザに通知するようにしてもよい。この場合、前記状態通知部は、複数の色を発光する発光素子より構成することができる。
【００１２】
また、前記状態通知部を、前記ハードディスク装置への複数のアクセス状態を示すアクセス情報を異なるアイコンを表示してユーザに通知する表示部より構成することもできる。一方、前記状態通知部を、前記ハードディスク装置の複数のアクセス状態を示すアクセス情報を異なる音声にてユーザに通知する音声出力部より構成することもできる。
【００１３】
また、前記イベントには、電源残存量の不足を示すイベントが含まれ、前記イベント検知部により、電源残量の不足を示すイベントを検知した場合には、前記アクセス状態遷移部は、前記ハードディスク装置へのアクセスを中断するよう構成することができる。
【００１４】
この構成によれば、イベント検知部により電池の残容量が不足していることを検知すると、ハードディスク装置へのアクセスを中断することができるので、残容量をより長く確保することができる。また、ハードディスク装置へのアクセスエラー等、不測の事態を防止することができる。
【００１５】
前記イベントには、バイブレータの作動要求を示すイベントが含まれ、前記イベント検知部により、バイブレータの作動要求を示すイベントを検知した場合には、前記アクセス状態遷移部は、前記ハードディスク装置へのアクセスを中断するよう構成することができる。
【００１６】
この構成によれば、イベント検知部によりバイブレータの作動要求を検知すると、ハードディスク装置のアクセスを中断することができるので、ハードディスク装置へのアクセスエラー等、不測の事態を防止することができる。
【００１７】
携帯端末には、他の機器と接続されデータのやり取りに使用される外部入出力部を更に設けることができる。この場合、前記ハードディスク装置へのアクセス中状態としては、前記他の機器から前記ハードディスクへのアクセス中状態であり得る。
【００１８】
この構成においては、携帯端末とＰＣ等他の外部の機器との接続という頻繁に使用される使用態様において、本発明の効果が発揮される。
【００１９】
また本発明は、大容量の情報を記憶する小型のハードディスク装置を搭載する携帯端末の制御方法をも提供する。該方法は、前記ハードディスク装置へのアクセス中に所定のイベントが発生した場合に、該イベントを検知するステップと、前記ハードディスク装置へのアクセス中に前記イベントが検知されると、前記ハードディスク装置へのアクセス中状態を、他のアクセス状態に遷移させるステップと、前記ハードディスク装置への他のアクセス状態を示すアクセス情報をユーザに通知するステップと、を備える。このような各ステップを所定のコンピュータに実行させるプログラムも本発明に含まれる。
【００２０】
この構成によれば、ハードディスク装置へのアクセス中に所定のイベントが発生したとき、ハードディスク装置へのアクセス中状態を、より好ましい他の何らかの状態に遷移させることができる。また、アクセス状態がユーザに通知されるので、ユーザにとってハードディスク装置のアクセス状態を参照することができる。
【発明の効果】
【００２１】
本発明によれば、ＨＤＤを備える携帯端末において、ハードディスク装置へのアクセス中に所定のイベントが発生したとき、ハードディスク装置へのアクセス中状態を、より好ましい他の何らかの状態に遷移させることができるので、ハードディスク装置へのアクセスに伴う不測の好ましくない事態を防止することができる。
【発明を実施するための最良の形態】
【００２２】
以下、本発明の実施形態に係る携帯端末及びその動作について、図面を参照して説明する。
【００２３】
図１は本発明の実施形態に係る携帯端末の構成を示すブロック図である。図１に示すように、この実施形態の携帯端末１０は、例えば携帯電話、ＰＨＳ等の携帯端末であって、制御部１１と、記憶部１２と、ＨＤＤ１３と、操作部１４と、電源電池１５と、送受信回路１６と、表示部１７と、状態出力部１８と、音声出力部１９と、バイブレータ２０と、外部入出力部２１とを備える。表示部１７、状態出力部１８、音声出力部１９各々は、状態通知部を構成する。
【００２４】
制御部１１は、ＣＰＵにより構成されており、記憶部１２に記憶されている制御プログラムに従った処理を実行する。制御部１１は、通常の着信・送信、メールの送受信、インターネット検索等の処理以外に、例えば、ＨＤＤ１３へのアクセス中に、所定のイベントが発生した場合には、制御部１１は、このイベントを検知するイベント検知部として機能する。所定のイベントとしては種々のものが考えられるが、例えば、電源電池の容量低下による電力不足の発生や、通話、メールの着信によるバイブレータ２０の起動等が考えられる。また、このようなイベントは、ＨＤＤ１３へのアクセスエラーを発生させる可能性が高い。
【００２５】
制御部１１は、ＨＤＤ１３へのアクセス中に、上記イベントを検知しない場合には、ＨＤＤ１３にアクセス中である状態（アクセス中状態）を示すアクセス情報を状態出力部１８（表示部１７、音声出力部１９）に出力させ、上記イベントを検知した場合には、当該アクセス中状態を他のアクセス状態に遷移させるアクセス状態遷移部としても機能する。
【００２６】
特に本実施形態においては、制御部１１は、アクセス中状態において上記イベントを検知した場合には、ＨＤＤ１３へのアクセスを中断し（アクセス中断状態）、アクセス中断中であることを示すアクセス情報を状態出力部１８（表示部１７、音声出力部１９）に出力させる。
【００２７】
記憶部１２は、ＲＯＭ及びＲＡＭにより構成されており、ＲＯＭは制御部１１が行う処理を実行させる制御プログラムを記憶し、ＲＡＭは、処理を行う際に必要となる情報を一時的にまたは永続的に記憶する。
【００２８】
ＨＤＤ１３は、携帯端末に搭載される小型のものであって、インターネットを介して取得した音楽データ、動画データ、電子メールに添付して音楽データ、動画データ等の大容量のデータを記憶する。
【００２９】
操作部１４は、図２に示すように、カーソルの移動、または各機能を決定するときに使用されるワープファンクションキー１４１、電話の発着信やメール送信に使用される発信キー１４２、電源のオン・オフや通話・通信を終了させるときに使用される電源・終話キー１４３、電話番号・数字・文字を入力するときに使用されるダイヤルキー１４４、メールの呼び出しするときに使用されるメールキー１４５等を有する。
【００３０】
電源電池１５は、この実施形態の携帯端末１０を構成する構成部分に必要とする電力を供給する。例えば、電源電池１５は、制御部１１を駆動させる電力、表示部１７のバックライトを点灯させる電力、状態出力部１８を点灯させる電力等を供給する。
【００３１】
送受信回路１６は、同じ周波数帯の電波を複数のユーザで共用して通信する、例えば、Ｗ−ＣＤＭＡ方式により、音声データ、動画データ・静画データからなる画像データ等を送受信する。
【００３２】
表示部１７は、図２に示すような画面を有する液晶表示装置からなり、操作部１４により入力された数・文字等、この実施形態の携帯端末１０の機能表示、送受信する文字・画像等を表示する。例えば、この実施形態の携帯端末１０の機能表示として、ＨＤＤ１３へのアクセス中においては、図３（ａ）に示すように、”Ａｃｃｅｓｓ”が記述されたアイコンを表示し、ＨＤＤ１３へのアクセス中に他の動作を優先するイベントが発生した場合には、図３（ｂ）に示すように、”Ｗａｉｔ”表示されたアイコンを表示する。また、ＨＤＤ１３へのアクセス中に、上述した所定のイベントが検知された場合には、図３（ｃ）に示すように、ＨＤＤ１３へのアクセスが中断していることを示す”Ｓｕｓｐｅｎｄ”を表示する。なお、ＨＤＤ１３がアクセスされていない場合には、図３（ｄ）に示すように、何も記述されていないアイコンを表示する。
【００３３】
状態出力部１８は、例えば図２に示すような箇所に搭載されたＬＥＤ（発光素子）より構成され、ＨＤＤ１３へのアクセスがなされた場合には、図４（ａ）に示すように、青色点滅し、ＨＤＤ１３がアクセス中に他の動作を優先するイベントが発生した場合や、ＨＤＤ１３へアクセス中に、所定のイベントが検知された場合には、図４（ｂ）に示すように白色点滅する。なお、状態出力部１８は、ＨＤＤ１３がアクセスされていない場合には、点滅しない。
【００３４】
音声出力部１９は、ＨＤＤ１３へのアクセスがなされた場合には、”ＨＤＤがアクセス中”であることを音声出力し、ＨＤＤ１３がアクセス中に他の動作を優先するイベントが発生した場合や、所定の上記イベントを検知した場合には、”ＨＤＤがアクセス中断”であることを音声出力する。なお、音声出力部１９は、ＨＤＤ１３がアクセスされていない場合には、音声出力しない。
【００３５】
バイブレータ２０は、電話やメールの着信が入ったときに、振動によりユーザにその旨を知らせるものである。
【００３６】
外部入出力部２１は、携帯端末１０とＰＣ等の外部機器との接続に用いられるポートの役割を果たす。外部入出力部２１は、有線接続のための外部入力／出力端子や、ブルートゥースの如き無線接続におけるセンサ等から構成される。
【００３７】
次に、この実施形態の携帯端末１０の動作を図５のフローチャートに基づき説明する。動作を説明するに際して、フローチャートに記述されているイベントとは、例えば、他の携帯端末からの着信がありバイブレータの作動要求、及び電池電源の不足等のものである。
【００３８】
制御部１１は、操作部１４からＨＤＤ１３にアクセス要求を受けたか否かを判定し（ステップＳ１０１）、アクセス要求を受けていないと判定した場合には（ステップＳ１０１；ＮＯ）、アクセス要求があるまで同様に判定し続ける。一方、制御部１１は、アクセス要求を受けたと判定した場合には（ステップＳ１０１；ＹＥＳ）、アクセス要求の内容に従ったアクセスを実行する（ステップＳ１０２）。例えば、制御部１１は、ＨＤＤ１３に音楽データや動画データを書き込んだり、ＨＤＤ１３に記憶されている音楽データや動画データを読み込むアクセスを実行する。その他ＨＤＤ１３へのアクセスとしては、外部入出力部２１に外部機器が接続され、当該機器からＨＤＤ１３へのアクセス要求があった場合がある。この場合も制御部１１は、ステップＳ１０１、Ｓ１０２の如き制御を行う。
【００３９】
次に、制御部１１は、ＨＤＤ１３にアクセス中であることをユーザに通知するように各構成部に指示を出力する。すると、当該構成部は、制御部１１からの指示に従いＨＤＤ１３がアクセス中であることをユーザに通知する（ステップＳ１０３）。例えば、制御部１１が、その指示として状態出力部１８を青色点滅させる指示を出力した場合には、状態出力部１８は、制御部１１の指示に従い、図４（ａ）に示すように青色点滅する。また、制御部１１が、その指示として表示部１７に、ＨＤＤアクセス中であることを示すアイコン表示させる指示を出力した場合には、表示部１７は、制御部１１の指示に従い、図３（ａ）に示す、”Ａｃｃｅｓｓ”が記述されたアイコンを表示する。また、制御部１１が、その指示として、ＨＤＤ１３へのアクセス中であることを音声出力させる指示を音声出力部１９に指示した場合には、音声出力部１９は、制御部１１の指示に従い”ＨＤＤがアクセス中”であるその旨を音声出力する。なお、ＨＤＤアクセスを知らせる方法として、ＬＥＤ点滅、アイコン表示、音声出力を単独で用いる場合以外に、これらを組みあわせて使用してもよいことはいうまでもない。
【００４０】
その後、制御部１１は、電源電池の電力不足またはバイブレータの作動要求のイベントが発生したか否かを判定する（ステップＳ１０４）。制御部１１は、イベントが発生していないと判定した場合には（ステップＳ１０４；ＮＯ）、イベントが発生するまで同様な判定処理を続行し、一方、上記イベントが発生したと判定した場合には（ステップＳ１０４；ＹＥＳ）、ＨＤＤ１３へのアクセス処理を中断する（ステップＳ１０５）。そして、制御部１１は、ＨＤＤ１３に対して読み書き中のアドレス、及び、その他の制御情報を記憶部１２のＲＡＭに一時記憶させる。
【００４１】
次に、制御部１１は、ＨＤＤ１３がアクセス中断中であることをユーザに通知するように各構成部に指示を出力する。すると、当該構成部は、制御部１１からの指示に従いＨＤＤ１３へのアクセスが中断中であることをユーザに通知する（ステップＳ１０６）。例えば、制御部１１が、その指示として状態出力部１８を白色点滅させる指示を出力した場合には、状態出力部１８は、制御部１１の指示に従い、図４（ｂ）に示すように白色点滅する。また、また、制御部１１が、その指示として表示部１７に、ＨＤＤアクセス中であることを示すアイコン表示させる指示を出力した場合には、表示部１７は、制御部１１の指示に従い、図３（ｃ）に示す”Ｓｕｓｐｅｎｄ”が記述されたアイコンを表示する。また、制御部１１が、その指示として、ＨＤＤ１３へのアクセスが中断中であることを音声出力させる指示を音声出力部１９に指示した場合には、音声出力部１９は、制御部１１の指示に従い”ＨＤＤがアクセス中断中である旨を音声出力する。なお、ＨＤＤアクセスを知らせる方法として、ＬＥＤ点滅、アイコン表示、音声出力を単独で用いる場合以外に、これらを組みあわせて使用してもよいことはいうまでもない。
【００４２】
その後、制御部１１は、イベントが終了したか否かを判定する（ステップＳ１０７）。制御部１１は、イベントが終了していないと判定した場合には（ステップＳ１０７；ＮＯ）、ステップＳ１０５に処理を移行し、上述した同様な処理を続行させる。一方、制御部１１は、イベントが終了したと判定した場合には（ステップＳ１０７；ＹＥＳ）、ＨＤＤ１３へのアクセスを再開する（ステップＳ１０８）。すなわち、制御部１１は、記憶部１３のＲＡＭに記憶されている上記アドレス、及び制御情報を読み出し、これらの情報を基にして、中断した箇所からアクセスを再開するようにＨＤＤ１３に指示を出力する。ＨＤＤ１３は、制御部１１からの指示に基づき、中断した箇所から読み書きを再開する。
【００４３】
制御部１１は、ＨＤＤ１３にアクセスを再開させると、その後、ＨＤＤ１３がアクセスを再開したことをユーザに通知するように各構成部に指示を出力する。すると、当該構成部は、制御部１１からの指示に従い、ＨＤＤ１３へのアクセス中であることをユーザに通知する（ステップＳ１０９）。例えば、制御部１１が、その指示として状態出力部１８を青色点滅させる指示を出力した場合には、状態出力部１８は、制御部１１の指示に従い、図４（ａ）に示すように青色点滅する。また、制御部１１が、その指示として表示部１７に、ＨＤＤアクセス中であることを示すアイコン表示させる指示を出力した場合には、表示部１７は、制御部１１の指示に従い、図３（ａ）に示す、”Ａｃｃｅｓｓ”が記述されたアイコンを表示する。また、制御部１１が、その指示として、ＨＤＤ１３アクセス中であることを音声出力させる指示を音声出力部１９に指示した場合には、音声出力部１９は、制御部１１の指示に従い”ＨＤＤがアクセス中”であるその旨を音声出力する。なお、ＨＤＤアクセスを知らせる方法として、ＬＥＤ点滅、アイコン表示、音声出力を単独で用いる場合以外に、これらを組みあわせて使用してもよいことはいうまでもない。
【００４４】
その後、制御部１１は、アクセスが終了したか否かを判定し（ステップＳ１１０）、アクセス要求が終了していないと判定した場合には（ステップＳ１１０；ＮＯ）、ステップＳ１０２に処理を実行し、上述したと同様な処理を実行し、一方、アクセス要求が終了したと判定した場合には（ステップＳ１１０；ＹＥＳ）、例えば、状態出力部１８に青色点滅を停止させ、表示部１７に、図３（ｄ）に示す、何も記述されていないアイコンを表示させ、処理を終了する。
【００４５】
以上述べたように、本発明の携帯端末においては、電池不足等、ＨＤＤ１３へのアクセス中に所定のイベントが発生したとき、ハードディスク装置へのアクセス中状態を、より好ましい他の何らかの状態に遷移させることができる。また、アクセス状態がユーザに通知されるので、ユーザにとってハードディスク装置のアクセス状態を参照することができる。
【００４６】
さらに本実施形態の携帯端末１０によれば、ＨＤＤ１３へのアクセス中に、所定のイベントが発生したとき、制御部１１がＨＤＤ１３へのアクセスを中断させるので、ＨＤＤへのアクセスに伴う不測の事態を防止することができる。また、この携帯端末１０によれば、表示部１７、状態出力部１８、または音声出力部１９によりＨＤＤへのアクセス中またはアクセス中断をユーザに通知するので、ユーザにとってハードディスク装置のアクセス状態を参照することができる。
【００４７】
さらに実施形態の携帯端末１０によれば、制御部１１が電池の残容量が不足していることを検知すると、ＨＤＤ１３へのアクセスを中断させるので、電池の容量を確保することができる。また、電池消耗に伴うＨＤＤ１３へのアクセスエラーをも防止することができる。
【００４８】
また、制御部１１がバイブレータの作動要求を検知すると、ＨＤＤ１３へのアクセスを中断させるので、振動に伴うＨＤＤ１３へのアクセスエラーの発生を防止することができる。
【００４９】
また、携帯端末１０が外部入出力部２１を介してＰＣ等他の外部の機器と接続されるという典型的な使用場面においてＨＤＤ１３へのアクセスがあった場合においても、ＨＤＤへのアクセスモードを変更することができ、ＨＤＤへのアクセスエラーを防止することができる。
【００５０】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５１】
本発明によれば、ＨＤＤを備える携帯端末において、ＨＤＤへのアクセス中に所定のイベントが発生したとき、ＨＤＤへのアクセス中状態を、より好ましい他の何らかの状態に遷移させることができるので、ハードディスク装置へのアクセスに伴う不測の好ましくない事態を防止することができる。
【図面の簡単な説明】
【００５２】
【図１】本発明の実施形態に係る携帯端末の構成を示すブロック図
【図２】図１中の操作部及び状態出力部を示す図
【図３】表示部が表示するアクセス状態を示す図
【図４】状態出力部が表示するアクセス状態を示す図
【図５】本発明の実施形態に係る携帯端末の動作を示すフローチャート
【符号の説明】
【００５３】
１０  携帯端末
１１  制御部
１２  記憶部
１３  ＨＤＤ
１４  操作部
１５  電源電池
１６  送受信回路
１７  表示部
１８  状態出力部
１９  音声出力部
２０  バイブレータ
２１  外部入出力部
【図１】
2006277322.tif 000003
【図２】
2006277322.tif 000004
【図３】
2006277322.tif 000005
【図４】
2006277322.tif 000006
【図５】
2006277322.tif 000007